(57)【要約】【課題】  発呼が可能な通信相手先を容易に判別可能なように表示し、複数の通信システムを利用する際の発呼ミスを防止する。【解決手段】  電話帳アプリ制御部２２によって、通信システム利用情報保持部２３に保持された接続情報及び利用情報を含む通信システム利用情報と、通信システム情報データベース２４の発呼可能条件とに基づき、発呼可能条件を満たしている通信システム情報ＩＤを抽出し、この通信システム情報ＩＤに対応する発呼可能な音声通信種別ＩＤを読み出す。そして、電話帳情報データベース２６に格納された電話帳データそれぞれについて、音声通信種別ＩＤが発呼可能か否かを判定し、発呼の可否に応じてアイコンを設定し、入出力部２０に電話帳一覧等によって電話帳データを表示する際、通信相手先の登録情報を発呼の可否を表すアイコンとともに表示する。【選択図】  図１
2006033317.tif 000002
【特許請求の範囲】
【請求項１】
複数の通信システムを用いて発呼が可能な複合通信端末装置であって、
前記複数の通信システムのいずれかを用いた複数の通信種別毎の発呼可能条件を格納する通信システム情報格納手段と、
前記通信システム毎の接続状態に関する接続情報と、前記各通信システムにおける通信アプリケーションソフトウェアの利用状態に関する利用情報とを含む通信システム利用情報を保持する通信システム利用情報保持手段と、
通信相手先の電話番号を含む電話帳データを格納する電話帳データ格納手段と、
前記通信システム利用情報と前記発呼可能条件とに基づいて発呼が可能な通信種別を判別し、前記電話帳データとして登録されたそれぞれの通信相手先について、対応する通信種別に基づき発呼の可否を判定する発呼可否判定手段と、
前記電話帳データを表示するものであって、前記通信相手先の登録情報を前記発呼の可否を示す発呼情報とともに表示する表示手段と、
を備える複合通信端末装置。
【請求項２】
請求項１に記載の複合通信端末装置であって、
前記表示手段は、前記発呼情報として発呼の可否を画像情報で示すアイコンを表示する複合通信端末装置。
【請求項３】
請求項２に記載の複合通信端末装置であって、
前記通信種別毎の発呼の可否を示すアイコン情報を含む通信種別情報を格納する通信種別情報格納手段を備え、
前記発呼可否判定手段は、前記発呼可否判定結果と前記通信種別情報とに基づいて前記電話帳データの通信相手先のそれぞれについて発呼の可否を示すアイコンを設定するもので、
前記表示手段は、前記通信相手先の名称又は電話番号の少なくとも一方を含む登録情報と、この通信相手先に対応するアイコンとを表示する複合通信端末装置。
【発明の詳細な説明】
【技術分野】
【０００１】
本発明は、通信方式が異なる複数の通信システムに対して発呼が可能な複合通信端末装置に関する。
【背景技術】
【０００２】
携帯電話等の移動通信端末は、数年来の爆発的な普及に伴って高機能化も進み、電話番号やメールアドレス、さらには個人情報をも記録可能な電話帳を内蔵するものが一般的になっている。このような電話帳機能の利便性を向上させる目的で、電話帳登録時に入力する電話番号から自動的に通信種別を特定して、表示することのできる移動通信端末が提案されている（例えば、特許文献１参照）。
【０００３】
この従来例によれば、通信種別を誤って選択し、電話番号と通信種別との不整合が生じてしまうことを防止することが可能となり、電話帳登録時のユーザ操作を簡素化できる。なお、この移動通信端末のように、単一の通信システムを用いて通信を行い、かつ発呼可能となる条件が一つである場合は、電話番号に対応して通信種別が自動的に選択されるため、発呼に際して本来発呼できない通信種別の電話番号に誤って発信してしまう発呼ミスは生じ得ない。
【０００４】
これに対し、複数の通信システムを使用可能な複合通信端末装置では、上記のような発呼ミスが生じるおそれがある。図８は、従来の複合通信端末装置の構成例を示す図である。移動通信用端末装置１００は、無線通信方式が異なるＡ通信システム及びＢ通信システムにおいてそれぞれ通信が可能に構成され、電波の送受信を行うＡ通信アンテナ１０１及びＢ通信アンテナ１０２と、無線信号の入出力及び変復調を行うＡ通信システム無線部１０３及びＢ通信システム無線部１０４と、通信を行う通信システムを選択制御する無線干渉制御部１０５とを備える。また、各種情報を表示するＬＣＤ等の表示装置を備えた入出力部１０６と、各種操作入力を行う操作部１０７と、電話帳機能を制御する電話帳アプリケーション制御部（以下、電話帳アプリ制御部という）１０８と、音声通信の種別を電話番号による識別パターンと対応づけて記憶した音声通信種別情報データベース１０９と、通信相手先の名称、電話番号、及び通信種別を対応づけて記憶した電話帳情報データベース１１０とを備える。
【０００５】
電話帳の登録や発呼に際しては、電話帳アプリ制御部１０８の動作により、入出力部１０６において電話帳一覧等によって電話帳データを表示する。このとき、使用者が操作部１０７を用いて、電話帳データの登録のための通信相手先の名称や電話番号等の入力操作を行ったり、発呼のための指示入力を行う。
【０００６】
この移動通信用端末装置１００において、電話帳を用いて発呼を行う場合は、まず、操作部１０７のキー操作による指示に応じて、入出力部１０６の表示装置に電話帳情報データベース１１０から読み出した通信相手先の名称や電話番号などの電話帳データを表示する。次いで、使用者が通信相手先を選択して指定すると、音声通信種別情報データベース１０９を参照して選択された通信相手先に対応する通信種別を識別し、この通信種別に従ってＡ通信システム及びＢ通信システムのいずれかが選択されて発呼が行われる。
【０００７】
このような複合通信端末装置１００では、通信システムの接続状況や、通信システムを利用する音声通信アプリケーションの利用状況などによって、発呼可能となる条件が複数ある場合は、電話帳に登録した電話番号と通信種別の整合性がとれていても、通信できない通信種別の相手先電話番号に誤って発信する発呼ミスが生じてしまうことがある。このように、従来の複合通信端末装置では、相手先電話番号の通信種別を発呼時に表示するのみで、その相手先電話番号に発信して接続できるか否かは使用者がその都度判断するしかなかった。
【０００８】
【特許文献１】特開２００２−２７０８４号公報
【発明の開示】
【発明が解決しようとする課題】
【０００９】
本発明は、上記事情に鑑みてなされたもので、発呼が可能な通信相手先を容易に判別可能なように表示でき、複数の通信システムを利用する際の発呼ミスを防止することが可能な複合通信端末装置を提供することを目的とする。
【課題を解決するための手段】
【００１０】
本発明の複合通信端末装置は、複数の通信システムを用いて発呼が可能な複合通信端末装置であって、前記複数の通信システムのいずれかを用いた複数の通信種別毎の発呼可能条件を格納する通信システム情報格納手段と、前記通信システム毎の接続状態に関する接続情報と、前記各通信システムにおける通信アプリケーションソフトウェアの利用状態に関する利用情報とを含む通信システム利用情報を保持する通信システム利用情報保持手段と、通信相手先の電話番号を含む電話帳データを格納する電話帳データ格納手段と、前記通信システム利用情報と前記発呼可能条件とに基づいて発呼が可能な通信種別を判別し、前記電話帳データとして登録されたそれぞれの通信相手先について、対応する通信種別に基づき発呼の可否を判定する発呼可否判定手段と、前記電話帳データを表示するものであって、前記通信相手先の登録情報を前記発呼の可否を示す発呼情報とともに表示する表示手段と、を備えるものである。
【００１１】
これにより、発呼が可能な通信相手先を容易に判別可能なように表示でき、使用者は表示情報によって電話帳データとして登録されている通信相手先が発呼可能であるか否かを容易に確認することができる。このため、通信方式が異なる複数の通信システムを利用する際の発呼ミスを未然に防ぐことが可能となる。
【００１２】
また、本発明の一態様として、上記の複合通信端末装置であって、前記表示手段は、前記発呼情報として発呼の可否を画像情報で示すアイコンを表示するものとする。
これにより、アイコンの表示によって発呼可能か否かを使用者が一目で判断することが可能である。
【００１３】
また、本発明の一態様として、上記の複合通信端末装置であって、前記通信種別毎の発呼の可否を示すアイコン情報を含む通信種別情報を格納する通信種別情報格納手段を備え、前記発呼可否判定手段は、前記発呼可否判定結果と前記通信種別情報とに基づいて前記電話帳データの通信相手先のそれぞれについて発呼の可否を示すアイコンを設定するもので、前記表示手段は、前記通信相手先の名称又は電話番号の少なくとも一方を含む登録情報と、この通信相手先に対応するアイコンとを表示するものとする。
これにより、通信相手先の登録情報とともにアイコンを表示することによって、使用者は通信相手先が発呼可能か否かを一目で確認することが可能である。
【発明の効果】
【００１４】
本発明によれば、発呼が可能な通信相手先を容易に判別可能なように表示でき、複数の通信システムを利用する際の発呼ミスを防止することが可能な複合通信端末装置を提供できる。
【発明を実施するための最良の形態】
【００１５】
本実施形態では、２つの独立した無線通信システムのＡ通信システム及びＢ通信システムを利用して発呼を行うことが可能な複合通信端末装置を例示する。図１は本発明の実施形態に係る複合通信端末装置の概略構成を示す図である。
【００１６】
本実施形態の複合通信端末装置１０は、Ａ通信アンテナ１１、Ｂ通信アンテナ１２、Ａ通信システム無線部１３、Ｂ通信システム無線部１４、無線干渉制御部１５、Ａ通信システム接続アプリケーション制御部（以下、接続アプリ制御部という）１６、Ｂ通信システム接続アプリ制御部１７、Ａ通信システム用音声通信アプリケーション制御部（以下、音声通信アプリ制御部という）１８、Ｂ通信システム用音声通信アプリ制御部１９、入出力部２０、操作部２１、電話帳アプリケーション制御部（以下、電話帳アプリ制御部という）２２、通信システム利用情報保持部２３、通信システム情報データベース２４、音声通信種別情報データベース２５、電話帳情報データベース２６を有する構成である。
【００１７】
Ａ通信アンテナ１１とＢ通信アンテナ１２は、それぞれＡ通信システム及びＢ通信システムにおける無線信号の送受信を行うアンテナである。Ａ通信システム無線部１３とＢ通信システム無線部１４は、それぞれＡ通信システム及びＢ通信システムにおける送受信無線信号の変復調、高周波増幅、ベースバンド信号処理等を行う。また、無線干渉制御部１５は、Ａ通信システム無線部１３とＢ通信システム無線部１４の一方の動作期間に、他方の動作を禁止することで、通信を行う通信システムの選択制御を行う。
【００１８】
Ａ通信システム接続アプリ制御部１６とＢ通信システム接続アプリ制御部１７は、呼接続制御用のアプリケーションソフトウェアに基づいて、Ａ通信システム及びＢ通信システムそれぞれにおける接続制御を行う。発呼を行う際には、Ａ通信システム接続アプリ制御部１６又はＢ通信システム接続アプリ制御部１７のいずれかによって、後述する電話帳アプリ制御部２２の指示による通信相手先電話番号との呼接続を制御する。また、Ａ通信システム用音声通信アプリ制御部１８とＢ通信システム用音声通信アプリ制御部１９は、音声通信制御用のアプリケーションソフトウェアに基づいて、Ａ通信システム及びＢ通信システムそれぞれにおける音声通信処理を行う。
【００１９】
電話帳アプリ制御部２２は、電話帳データ制御用のアプリケーションソフトウェアに基づいて、電話帳データの登録、利用等に関する動作制御を行う。ここで、電話帳アプリ制御部２２は、Ａ通信システム接続アプリ制御部１６とＢ通信システム接続アプリ制御部１７から各通信システムの未接続、接続済み、待ち受け中等の接続情報を取得すると共に、Ａ通信システム用音声通信アプリ制御部１８とＢ通信システム用音声通信アプリ制御部１９から各通信システムの起動中におけるサーバ登録済み、通話中等の音声通話アプリケーションソフトウェアの利用状態に関する利用情報を取得し、これらの接続情報及び利用情報を含む通信システム利用情報を通信システム利用情報保持部２３に登録する。また、登録後に接続情報や利用情報が変化した場合は、例えば未接続であったＡ通信システムが接続済となった場合など、その変化した情報を通信システム用情報保持部２３に保存する。また、電話帳アプリ制御部２２は、発呼可否判定手段の機能を有するもので、前記通信システム利用情報に基づいて登録した電話帳データのそれぞれの通信相手先に対して発呼可能か否かを判定する。この発呼可否判定に関する処理については後述する。
【００２０】
通信システム利用情報保持部２３は、通信システム利用情報保持手段の機能を有するもので、電話帳アプリ制御部２２により登録処理を行った接続情報及び利用情報など、通信システムの発呼可能条件に影響を与える通信システム利用情報を保持するメモリ等の記憶手段を有して構成される。
【００２１】
図２は通信システム情報データベース２４に格納される情報の一例を示す図である。通信システム情報データベース２４は、通信システム情報格納手段の一例に相当するもので、通信システム情報ＩＤ、使用通信システム、音声通信種別ＩＤ、発呼可能条件（１）〜（３）を含む通信システム関連の情報を保持するものである。
【００２２】
図３は音声通信種別情報データベース２５に格納される情報の一例を示す図である。音声通信種別情報データベース２５は、通信種別情報格納手段の一例に相当するもので、音声通信種別ＩＤ、音声通信種別名、音声通信種別識別パターン、アイコン番号を含む音声通信種別関連の情報を保持するものである。アイコン番号は、「基本」「発呼可能」「発呼不可」の３種類があり、アイコンの種別によって発呼の可否を示すことが可能となっている。
【００２３】
図４は電話帳情報データベース２６に格納される情報の一例を示す図である。電話帳情報データベース２６は、電話帳データ格納手段の一例に相当するもので、通信相手先の名前、電話番号、音声通信種別ＩＤ、音声通信種別アイコンを含む電話帳関連の登録情報を保持するものである。なお、電話帳情報データベース２６には、通信相手先に関連する住所、所属、生年月日等の個人情報を含めることも可能である。この音声通信種別アイコンは、後述する音声通信種別ごとの発呼可否の判別結果に応じて設定される。
【００２４】
入出力部２０は、各種情報を表示するＬＣＤ等の表示装置を備えて構成され、表示手段の機能を有するもので、電話帳の登録や発呼に際しては、電話帳アプリ制御部２２の動作により、電話帳一覧等によって通信相手先の登録情報を含む電話帳データを表示する。このとき、通信相手先の名称や電話番号とともに、通信種別や発信可否等の状態を表す発呼情報を含むアイコンを表示する。操作部２１は、各種操作入力を行うための複数のキーを備えて構成され、電話帳の登録や通信の発呼等に関する指示、データ入力等を行う。
【００２５】
次に、上記のように構成された本実施形態の複合通信端末装置１０の動作について説明する。
【００２６】
電話帳データの登録を行う際は、使用者が操作部２１より入力操作を行って通信相手先の名前及び電話番号を入力すると、電話帳アプリ制御部２２は音声通信種別情報データベース２５を参照して音声通信種別パターンに一致する音声通信種別ＩＤを読み出し、この音声通信種別ＩＤを名前及び電話番号の情報とともに電話帳情報データベース２６に格納する。
【００２７】
図５は本実施形態の複合通信端末装置における電話帳データ表示時の処理手順を示すフローチャートである。まず、操作部２１のキー操作により使用者が電話帳一覧を表示する指示操作を行うと、電話帳アプリ制御部２２は電話帳アプリケーションソフトウェアを起動し、電話帳表示処理を開始する（ステップＳ１１）。なおこのとき、電話帳情報データベース２６から電話帳データを読み出して電話帳に登録された通信相手先の名称等の情報のみを入出力部２０に表示してもよい。
【００２８】
次いで、電話帳アプリ制御部２２は、通信システム利用情報保持部２３から通信システム利用情報としてＡ通信システム及びＢ通信システムそれぞれの接続情報及び利用情報を読み込む（ステップＳ１２）。接続情報は、例えば、Ａ通信システム：待ち受け中、Ｂ通信システム：未接続などの情報である。利用情報は、例えば、Ａ通信システム用の音声通信アプリケーションソフトウェア：起動済み、Ｂ通信システム用の音声通信アプリケーションソフトウェア：起動済みなどの情報である。
【００２９】
また、電話帳アプリ制御部２２は、図２に示すような通信システム情報データベース２４の情報を読み込む（ステップＳ１３）。そして、ステップＳ１２で読み込んだ通信システム利用情報から発呼可能条件すべてを満たしている通信システム情報ＩＤを抽出する（ステップＳ１４）。そして、この抽出した通信システム情報ＩＤに対応する発呼可能な音声通信種別ＩＤを読み出す（ステップＳ１５）。図２の通信システム情報データベース２４では、例えば通信システム情報ＩＤが００３の場合、使用通信システム：Ａ通信システム、音声通信種別ＩＤ：００３、発呼可能条件（１）：Ａ通信システム待ち受け状態、発呼可能条件（２）：Ａ通信システム用音声通信アプリ起動済となっている。上記通信システム利用情報の例の場合、通信システム情報データベース２４の発呼可能条件を参照すると、２つの条件をすべて満たしている通信システム情報ＩＤは００３、００４、００５、００６、００７となり、発呼が可能な音声通信種別ＩＤとして００３（ＰＨＳ（登録商標））、００４（携帯電話）、００５（緊急）、００６（フリーダイアル）、００７（市外電話）が抽出される。なお、抽出されなかった音声通信種別ＩＤは発呼不可と判別される。
【００３０】
次に、電話帳アプリ制御部２２は、電話帳一覧を表示するために、図３に示すような音声通信種別情報データベース２５の情報と図４に示すような電話帳情報データベース２６の情報を読み込む（ステップＳ１６）。
【００３１】
そして、以降のステップＳ１７〜Ｓ２３において、電話帳アプリ制御部２２は読み込んだ電話帳情報データベース２６及び音声通信種別情報データベース２５の情報を用いて、電話帳データの音声通信種別に関するアイコン設定を行う。まず、電話帳情報データベース２６から読み込んだ電話帳データに音声通信種別ＩＤが格納されているか否かを判定する（ステップＳ１８）。ここで、電話帳データに音声通信種別ＩＤが格納されている場合は、その音声通信種別ＩＤがステップＳ１５で抽出された発呼可能な通信システム情報ＩＤに対応する音声通信種別ＩＤの一つと一致するか否かを判定する（ステップＳ１９）。  上記の例の場合、発呼可能な音声通信種別ＩＤは００３〜００７であり、電話帳データの音声通信種別ＩＤがこれらのいずれかに一致するか否かを判定する。
【００３２】
ステップＳ１９において発呼可能な音声通信種別ＩＤに一致している場合は、電話帳データの音声通信種別のアイコンを利用可能であることを示すもの（アイコン番号１０５など）に設定する（ステップＳ２０）。一方、一致していない場合は、電話帳データの音声通信種別のアイコンを利用不可であることを示すもの（アイコン番号２０５など）に設定する（ステップＳ２１）。図６は音声通信種別の状態を示すアイコンの一例を示す図である。図６のアイコンは音声通信種別が携帯電話である電話帳データを示すものであり、（Ａ）が利用可否の情報を表さない「基本」、（Ｂ）が「発呼可能」の状態を示すもの、（Ｃ）が「発呼不可」の状態を示すものである。
【００３３】
そして、電話帳データのアイコン設定が終了したかを判断し（ステップＳ２２）、終了していない場合は、次の電話帳データを参照して（ステップＳ２３）、ステップＳ１８〜Ｓ２２で同様の処理を繰り返す。また、ステップＳ１８で電話帳データに音声通信種別ＩＤが格納されていない場合も、電話帳データのアイコン設定が終了するまで次の電話帳データを参照して同様の処理を繰り返す。
【００３４】
ステップＳ２２で電話帳データのアイコン設定が終了すると、電話帳データを設定したアイコンとともに入出力部２０に表示する（ステップＳ２４）。図７は電話帳データを表す電話帳一覧の表示例を示す図である。図７の電話帳一覧では、携帯電話ユーザＡ、携帯電話ユーザＢ、ＰＨＳ（登録商標）ユーザＡ、フリーダイアルユーザＡに対しては発呼が可能であり、ＶｏＩＰユーザＡに対しては発呼不可であることを表している。複合通信端末装置の使用者は、入出力部２０の表示画面に表示された電話帳一覧を見ることによって、発信しようとする通信相手先が発呼可能か否かをアイコンの状態で容易に知ることができる。
【００３５】
なお、電話帳データの表示において、発呼可能かどうかを表示する機能は、オン／オフ切り替えが可能にすることができる。例えばオフの場合、電話帳情報データベース２６の音声通信種別アイコンはすべて図６（Ａ）に示すような「基本」となり、通信システム利用情報保持部２３と通信システム情報データベース２４の情報は利用しない。また、各通信システムの接続アプリ制御部１６、１７と各通信システム用音声通信アプリ制御部１８、１９の動作状態に応じて、接続情報及び利用情報の登録処理を行わない。さらに、オン／オフ切り替えを行う場合は、電話帳アプリ制御部２２に対して登録処理／登録解除処理を行うなど、各機能で切り替えに対応できるようにする。
【００３６】
また、通信システム情報データベース２４及び音声通信種別情報データベース２５は、一般的なシステム情報がデフォルトで設定されているものとし、使用者が設定操作によってこれらのデータベースの情報を改変できるようにしてもよい。これにより、データベースを選択して登録情報を変更することによって、発呼可能条件等を変更することが可能となる。
【００３７】
上述したように、本実施形態では、電話帳アプリ制御部２２によって、通信システム利用情報保持部２３から接続情報及び利用情報を含む通信システム利用情報を読み出し、この通信システム利用情報と通信システム情報データベース２４の発呼可能条件とに基づき、発呼可能条件を満たしている通信システム情報ＩＤを抽出する。そして、この通信システム情報ＩＤに対応する発呼可能な音声通信種別ＩＤを読み出す。さらに、電話帳情報データベース２６と音声通信種別情報データベース２５の情報を読み込み、電話帳情報データベース２６に格納された電話帳データそれぞれについて、音声通信種別ＩＤが発呼可能か否かを判定し、発呼の可否に応じてアイコンを設定する。そして、入出力部２０に電話帳一覧等によって電話帳データを表示する際、通信相手先の登録情報をアイコンとともに表示する。これにより、使用者は各通信相手先について現在の状況で発呼が可能であるかどうかを容易に知ることができるため、複数の通信システムを利用可能な複合通信端末装置において、通信種別の違いによる発呼のミスを防止することが可能となる。
【産業上の利用可能性】
【００３８】
本発明は、発呼が可能な通信相手先を容易に判別可能なように表示でき、複数の通信システムを利用する際の発呼ミスを防止することが可能となる効果を有し、通信方式が異なる複数の通信システムに対して発呼が可能な複合通信端末装置等に有用である。
【図面の簡単な説明】
【００３９】
【図１】本発明の実施形態に係る複合通信端末装置の概略構成を示す図
【図２】通信システム情報データベースに格納される情報の一例を示す図
【図３】音声通信種別情報データベースに格納される情報の一例を示す図
【図４】電話帳情報データベースに格納される情報の一例を示す図
【図５】本実施形態の複合通信端末装置における電話帳データ表示時の処理手順を示すフローチャート
【図６】音声通信種別の状態を示すアイコンの一例を示す図
【図７】電話帳データを表す電話帳一覧の表示例を示す図
【図８】従来の複合通信端末装置の構成例を示す図
【符号の説明】
【００４０】
１０  複合通信端末装置
１３  Ａ通信システム無線部
１４  Ｂ通信システム無線部
１６  Ａ通信システム接続アプリ制御部
１７  Ｂ通信システム接続アプリ制御部
１８  Ａ通信システム用音声通信アプリ制御部
１９  Ｂ通信システム用音声通信アプリ制御部
２０  入出力部
２１  操作部
２２  電話帳アプリ制御部
２３  通信システム利用情報保持部
２４  通信システム情報データベース
２５  音声通信種別情報データベース
２６  電話帳情報データベース
【図１】
2006033317.tif 000003
【図２】
2006033317.tif 000004
【図３】
2006033317.tif 000005
【図４】
2006033317.tif 000006
【図５】
2006033317.tif 000007
【図６】
2006033317.tif 000008
【図７】
2006033317.tif 000009
【図８】
2006033317.tif 000010